(57)【要約】【課題】市販ＰＬＣモデムを用いて通信線によるネットワークの構築を可能にし、さらに通信距離の拡張や一対多の通信も可能にする。【解決手段】通信システム１は、第１及び第２のＰＬＣモデム２Ａ，２Ｂにそれぞれ接続された第１及び第２のＰＬＣアダプタ１０Ａ，１０Ｂと、ＰＬＣアダプタ１０ＡとＰＬＣアダプタ１０Ｂとを接続する通信線６とを備える。ＰＬＣアダプタ１０Ａ，１０Ｂは、ＰＬＣモデム２Ａ，２Ｂの電源プラグ７に接続可能な第１電源端子と、コンセント５Ａ，５Ｂに接続可能な第２電源端子と、第１電源端子と第２電源端子とを電気的に接続する一対の電源ライン上に設けられ、ＰＬＣモデムから送出されたＰＬＣ信号を電源電力から分離する信号分離回路と、信号分離回路によって分離されたＰＬＣ信号を出力する信号端子とを備え、第１のＰＬＣアダプタ１０Ａの信号端子は通信線６を介して第２のＰＬＣアダプタ１０Ｂの信号端子に接続されている。【選択図】図１
2020014141.tif 000002
【特許請求の範囲】
【請求項１】
第１のＰＬＣモデムの電源プラグに接続された第１のＰＬＣアダプタと、
第２のＰＬＣモデムの電源プラグに接続された第２のＰＬＣアダプタと、
前記第１のＰＬＣアダプタと前記第２のＰＬＣアダプタとを接続する通信線とを備え、
前記第１及び第２のＰＬＣアダプタの各々は、
前記ＰＬＣモデムの電源プラグに接続可能な第１電源端子と、
コンセントに接続可能な第２電源端子と、
前記第１電源端子と前記第２電源端子とを電気的に接続する一対の電源ライン上に設けられ、前記ＰＬＣモデムから送出されたＰＬＣ信号を電源電力から分離する信号分離回路と、
前記信号分離回路によって分離された前記ＰＬＣ信号を出力する信号端子とを備え、
前記第１のＰＬＣアダプタの信号端子は前記通信線を介して前記第２のＰＬＣアダプタの信号端子に接続されていることを特徴とする通信システム。
【請求項２】
前記信号分離回路は、
前記第１電源端子及び前記信号端子の一方から他方に向かう前記ＰＬＣ信号の流れ及び前記第２電源端子から前記第１電源端子に向かう電源電力の流れを許容し、
前記第１電源端子又は前記信号端子から前記第２電源端子に向かうＰＬＣ信号の流れ及び前記第２電源端子から前記信号端子に向かう電源電力の流れを阻止する、請求項１に記載の通信システム。
【請求項３】
前記信号分離回路は、
前記一対の電源ライン上にそれぞれ設けられた第１及び第２のコイルと、
前記第１及び第２のコイルよりも前記第１電源端子側の前記一対の電源ラインの途中からそれぞれ引き出された一対の信号ラインと、
前記一対の信号ライン上にそれぞれ設けられた第１及び第２のコンデンサと、
前記第１及び第２のコイルよりも前記第２電源端子側の前記一対の電源ライン間を接続する第３のコンデンサとを含み、
前記第１及び第２のコイルは、商用周波数に対するインピーダンスが相対的に低く、前記ＰＬＣ信号の周波数帯に対するインピーダンスが相対的に高く、
前記第１乃至第３のコンデンサは、商用周波数に対するインピーダンスが相対的に高く、前記ＰＬＣ信号の周波数帯に対するインピーダンスが相対的に低い、請求項１又は２に記載の通信システム。
【請求項４】
前記第１及び第２のＰＬＣアダプタの各々は、前記一対の電源ライン上の少なくとも一方に設けられたヒューズをさらに備える、請求項１乃至３のいずれか一項に記載の通信システム。
【請求項５】
前記第１及び第２のＰＬＣアダプタの各々は、前記信号分離回路と前記信号端子との間に設けられた絶縁トランスをさらに備える、請求項１乃至４のいずれか一項に記載の通信システム。
【請求項６】
前記第１のＰＬＣアダプタの前記第２電源端子は、第１の電力線上に設けられた第１のコンセントに接続され、
前記第２のＰＬＣアダプタの前記第２電源端子は、第２の電力線上に設けられた第２のコンセントに接続され、
前記第１のＰＬＣモデムは、前記第１のＰＬＣアダプタを介して前記第１の電力線から電力供給を受け、
前記第２のＰＬＣモデムは、前記第２のＰＬＣアダプタを介して前記第２の電力線から電力供給を受ける、請求項１乃至５のいずれか一項に記載の通信システム。
【発明の詳細な説明】
【技術分野】
【０００１】
本発明は、ＰＬＣ（Power Line Communication：電力線通信）モデムを用いた通信システムに関し、特に、ＰＬＣモデムに取り付けられるＰＬＣアダプタを用いた通信システムに関するものである。
【背景技術】
【０００２】
ＰＬＣモデムが広く普及している。ＰＬＣモデムは電源供給を目的とした電力線を通信媒体として用いるため、通信線を別途設けることなく宅内ネットワークを容易に構築することが可能である。
【０００３】
電力線通信技術に関し、例えば特許文献１には、電力会社のブレーカー及び需要家の電力量計による高周波信号の信号損失を低減し、且つ設置工事の安全性の確保及び作業効率の向上を図るため、ブレーカーの手前から電力線に信号線を磁気結合する一方のインジェクション部と、ブレーカーを複数配置する分電盤と、需要家の電力量を積算する電力量計と、電力量計を通過した電力線に磁気結合する他方のインジェクション部と、一方のインジェクション部と他方のインジェクション部とを接続し、サージ電圧を除去する分配部とを備えた電力線通信システムが記載されている。
【０００４】
また特許文献２には、分電盤により分電された各電力線にそれぞれ磁気結合する複数のインジェクション部と、ループ状に形成した信号線を介して複数のインジェクション部に高周波信号を分配する分配器と、高周波信号を送信するモデムとを備え、各電力線に高調波信号を重畳する場合に同位相の電力線のいずれか一方に配線する信号線の配線方法を変えることにより通信効率を高めた電力線通信システムが記載されている。
【０００５】
特許文献３には、ＡＣプラグをコンセントに差し込み、ＤＣコネクタをノートパソコンなどの端末装置に接続することにより、端末装置に直流電力を供給し、さらにコンセントと端末装置との間で電力線通信信号の送受信を可能にした電源アダプタが記載されている。
【０００６】
特許文献４には、電力線に流れる電力を照明機器等の電気機器に供給するためのコンセントプラグにおいて、電気機器からのノイズがＰＬＣ信号に悪影響を与えることを防止するため、電気機器から電力線に伝達されるノイズを遮断するＬＣフィルタを電力線と照明機器との間に配設することが記載されている。また特許文献４には、端末装置に情報信号を供給する供給するコネクタ部と、各種信号処理を行うインターフェース部とを備え、電力線を流れるＰＬＣ信号を電力信号と情報信号に分離して端末装置に供給するアダプタプラグが記載されている。
【０００７】
特許文献５には、電力線通信装置と接続されるべきルータ側を設計変更することなく電力線通信機能をアドオンするため、ルータ（ルータ基板）に設けられたＰＣＩバスコネクタに占有容積が小さいＰＬＣ基板のみを装着し、電力線通信用カップリングトランスを搭載した外部ユニットをＰＬＣ基板から分離してルータのケースの外部に設け、ＰＬＣ基板がケーブル及び外部ユニットを介してＡＣ１００Ｖの屋内配線に接続されるように構成されたアドオン型電力線通信装置が記載されている。
【先行技術文献】
【特許文献】
【０００８】
【特許文献１】特開２００４−２８２３９７号公報
【特許文献２】特開２００６−２９５２４８号公報
【特許文献３】特開２００８−２１９０７３号公報
【特許文献４】特開２００９−１０００３９号公報
【特許文献５】特開２００８−１８７６３６号公報
【発明の概要】
【発明が解決しようとする課題】
【０００９】
イーサネット（登録商標）やシリアル通信は広く普及しているが、その仕様上、通信距離が制限されており、例えばイーサネット（登録商標）の通信距離は１００ｍである。これに対し、機器制御や監視カメラによるモニタ等を目的とした用途では、工場や広い敷地をカバーすることが求められるため、イーサネット（登録商標）やシリアル通信では限界があった。
【００１０】
これを解決するため、例えば図６（ａ）に示すような通信線とＤＳＬモデムとの組み合わせ、もしくは図６（ｂ）に示すように無線ＬＡＮを使用してネットワークを構築することも考えられる。しかし、ＤＳＬモデムは専用機となるため販売機器が少なく高価である。また、ＤＳＬモデムは一対一の通信のみが可能であり、一対多の通信に用いることができない。また無線ＬＡＮは、他の無線機器との干渉やノイズ等により回線が不安定となりやすく、不感地帯の問題もある。
【００１１】
したがって、本発明の目的は、市販ＰＬＣモデムを用いて通信線によるネットワークを安価に構築することができ、通信距離の拡張や一対多の通信も容易な通信システムを提供することにある。
【課題を解決するための手段】
【００１２】
上記課題を解決するため、本発明による通信システムは、第１のＰＬＣモデムの電源プラグに接続された第１のＰＬＣアダプタと、第２のＰＬＣモデムの電源プラグに接続された第２のＰＬＣアダプタと、前記第１のＰＬＣアダプタと前記第２のＰＬＣアダプタとを接続する通信線とを備え、前記第１及び第２のＰＬＣアダプタの各々は、前記ＰＬＣモデムの電源プラグに接続可能な第１電源端子と、コンセントに接続可能な第２電源端子と、前記第１電源端子と前記第２電源端子とを電気的に接続する一対の電源ライン上に設けられ、前記ＰＬＣモデムから送出されたＰＬＣ信号を電源電力から分離する信号分離回路と、前記通信線に接続され、前記信号分離回路によって分離された前記ＰＬＣ信号を出力する信号端子とを備え、前記第１のＰＬＣアダプタの信号端子は前記通信線を介して前記第２のＰＬＣアダプタの信号端子に接続されていることを特徴とする。
【００１３】
本発明によれば、市販ＰＬＣモデムを用いて高速通信ネットワークを安価に構築することができる。また、ＰＬＣモデムはタンデム通信やホップ通信が可能であるため、通信距離の拡張や一対多の通信を容易に実現することができる。
【００１４】
本発明において、前記信号分離回路は、前記第１電源端子及び前記信号端子の一方から他方に向かう前記ＰＬＣ信号の流れ及び前記第２電源端子から前記第１電源端子に向かう電源電力の流れを許容し、前記第１電源端子又は前記信号端子から前記第２電源端子に向かうＰＬＣ信号の流れ及び前記第２電源端子から前記信号端子に向かう電源電力の流れを阻止することが好ましい。これにより、ＰＬＣモデムを通信モデムとして使用することができる。
【００１５】
本発明において、前記信号分離回路は、前記一対の電源ライン上にそれぞれ設けられた第１及び第２のコイルと、前記第１及び第２のコイルよりも前記第１電源端子側の前記一対の電源ラインの途中からそれぞれ引き出された一対の信号ラインと、前記一対の信号ライン上にそれぞれ設けられた第１及び第２のコンデンサと、前記第１及び第２のコイルよりも前記第２電源端子側の前記一対の電源ライン間を接続する第３のコンデンサとを含み、前記第１及び第２のコイルは、商用周波数に対するインピーダンスが相対的に低く、前記ＰＬＣ信号の周波数帯に対するインピーダンスが相対的に高く、前記第１乃至第３のコンデンサは、商用周波数に対するインピーダンスが相対的に高く、前記ＰＬＣ信号の周波数帯に対するインピーダンスが相対的に低いことが好ましい。これにより、ＰＬＣモデムを通信線モデムとして使用することができる。
【００１６】
本発明において、前記第１及び第２のＰＬＣアダプタの各々は、前記一対の電源ライン上の少なくとも一方に設けられたヒューズをさらに備えることが好ましく、前記ヒューズは前記第２電源端子と前記第３のコンデンサとの間に設けられることが好ましい。これにより、ＰＬＣモデムとＰＬＣアダプタとを短絡電流から保護することができる。
【００１７】
本発明において、前記第１及び第２のＰＬＣアダプタの各々は、前記信号分離回路と前記信号端子との間に設けられた絶縁トランスをさらに備えることが好ましい。これにより、通信線に対するＰＬＣアダプタの絶縁性を確保して通信システムの安全性を高めることができる。
【００１８】
本発明において、前記第１のＰＬＣアダプタの前記第２電源端子は、第１の電力線上に設けられた第１のコンセントに接続され、前記第２のＰＬＣアダプタの前記第２電源端子は、第２の電力線上に設けられた第２のコンセントに接続され、前記第１のＰＬＣモデムは、前記第１のＰＬＣアダプタを介して前記第１の電力線から電力供給を受け、前記第２のＰＬＣモデムは、前記第２のＰＬＣアダプタを介して前記第２の電力線から電力供給を受けることが好ましい。これにより、第１及び第２の電力線から電源供給を受けながら第１及び第２のＰＬＣモデム間で通信線を用いたデータ通信を実現することができる。
【発明の効果】
【００１９】
本発明によれば、市販ＰＬＣモデムを用いて通信線によるネットワークを安価に構築することができ、通信距離の拡張や一対多の通信も容易な通信システムを提供することができる。
【図面の簡単な説明】
【００２０】
【図１】図１は、本発明の第１の実施の形態による通信システムの概略図である。
【図２】図２は、本実施形態によるＰＬＣアダプタの構成を概略的に示す回路図である。
【図３】図３は、本実施形態によるＰＬＣアダプタの動作を説明するための図である。
【図４】図４は、本発明の第２の実施の形態による通信システムの概略図である。
【図５】図５は、本発明の第３の実施の形態による通信システムの概略図である。
【図６】図６は、従来の通信システムを説明するための図である。
【発明を実施するための形態】
【００２１】
以下、添付図面を参照しながら、本発明の好ましい実施の形態について詳細に説明する。
【００２２】
図１は、本発明の第１の実施の形態による通信システムの概略図である。
【００２３】
図１に示すように、通信システム１Ａは、ＰＬＣモデム２ＡとＰＬＣモデム２Ｂとの間で電力線ではなく専用の通信線６を伝送媒体としたデータ通信を行うシステムである。そのため、ＰＬＣモデム２Ａ、２ＢにはＰＬＣアダプタ１０Ａ，１０Ｂがそれぞれ接続されており、ＰＬＣモデム２ＡはＰＬＣアダプタ１０Ａを介して通信線６の一端に接続されており、ＰＬＣモデム２ＢはＰＬＣアダプタ１０Ｂを介して通信線６の他端に接続されている。
【００２４】
ＰＬＣモデム２Ａ、２Ｂは、ＰＬＣ信号が必ず電源電力に重畳されて出力されるいわゆる一体型機器であり、ＰＬＣ信号は電源プラグ７から出力される。ＰＬＣモデム２Ａ，２Ｂの電源プラグ７は、ＰＬＣアダプタ１０Ａ，１０Ｂを介してコンセント５Ａ，５Ｂにそれぞれ接続されている。これにより、ＰＬＣモデム２Ａは、電力線４ＡからＰＬＣアダプタ１０Ａを介して電力供給を受けると共に、ＰＬＣアダプタ１０ＡにＰＬＣ信号を送出するように構成されている。同様に、ＰＬＣモデム２Ｂは、電力線４ＢからＰＬＣアダプタ１０Ｂを介して電力供給を受けると共に、ＰＬＣアダプタ１０ＢにＰＬＣ信号を送出するように構成されている。
【００２５】
本実施形態において、ＰＬＣアダプタ１０Ａ，１０Ｂは、端子台２１Ａ，２１Ｂを介して通信線６にそれぞれ接続されているが、接続方法はこれに限定されず、種々の接続方法を採用することができる。ＰＬＣモデム２Ａ、２Ｂには例えばパソコン９Ａ，９Ｂがそれぞれ接続され、パソコン９Ａ，９Ｂ同士はＰＬＣモデム２Ａ、２Ｂ、ＰＬＣアダプタ１０Ａ，１０Ｂ及び通信線６を介してデータ通信を行うことができる。
【００２６】
ＰＬＣアダプタ１０Ａ，１０Ｂは、ＰＬＣモデム２Ａ，２Ｂの電源プラグ７から電源電力に重畳して出力されるＰＬＣ信号を取り出す装置である。ＰＬＣアダプタ１０Ａ，１０Ｂの構成は同一であるため、ＰＬＣアダプタ１０Ａの構成ついて詳細に説明し、ＰＬＣアダプタ１０Ｂの構成の説明については省略する。
【００２７】
図２は、本実施形態によるＰＬＣアダプタ１０Ａの構成を概略的に示す回路図である。
【００２８】
図２に示すように、ＰＬＣアダプタ１０Ａは、ＰＬＣモデム２Ａとコンセント５Ａとの間に設けられる追加装置であって、ＰＬＣアダプタ本体１１と、ＰＬＣアダプタ本体１１に接続された接続線１２とを備えている。接続線１２は例えばツイストペアケーブルであって、ＰＬＣアダプタ本体１１と通信線６との間のＰＬＣ信号の受け渡しを行う。接続線１２は、端子台２１Ａを介して通信線６に接続される。
【００２９】
ＰＬＣアダプタ本体１１は、ＰＬＣモデム２Ａの電源プラグ７が接続される第１電源端子１４と、コンセント５Ａに接続される第２電源端子１５と、第１電源端子１４と第２電源端子１５とを接続する一対の電源ライン１８ａ，１８ｂ上に設けられた信号分離回路１６と、信号分離回路１６によって電源電力から分離されたＰＬＣ信号が出力される信号端子１７とを備えている。信号分離回路１６は筐体１１ａ内に収容されており、第１電源端子１４、第２電源端子１５、信号端子１７は筐体１１ａの表面に設けられている。第１電源端子１４は、略直方体の筐体１１ａの一方の主面に設けられ、第２電源端子１５は、筐体１１ａの反対側の主面に設けられることが好ましい。第１電源端子１４は電源プラグ７に直接接続可能な端子形状を有し、第２電源端子１５はコンセント５Ａに直接接続可能な端子形状を有する。
【００３０】
信号分離回路１６は、ＰＬＣモデム２Ａから送出されたＰＬＣ信号を電源電力から分離すると共に、接続線１２から流れてきたＰＬＣ信号を電源電力に重畳する役割を果たす。また、コンセント５Ａ側から流入するＰＬＣ信号と同一周波数帯のノイズを低減すると共に、コンセント５Ａ側のインピーダンス変動によるＰＬＣモデム２Ａへの影響を低減する役割も果たす。すなわち、信号分離回路１６は、第１電源端子１４及び信号端子１７の一方から他方に向かうＰＬＣ信号の流れ及び第２電源端子１５から第１電源端子１４に向かう電源電力の流れを許容しつつ、第１電源端子１４又は信号端子１７から第２電源端子１５に向かうＰＬＣ信号の流れ及び第２電源端子１５から信号端子１７に向かう電源電力の流れを阻止する。
【００３１】
次に、図３を参照しながら本実施形態によるＰＬＣアダプタ１０Ａの動作について説明する。
【００３２】
ＰＬＣモデム２Ａの電源プラグ７にはＡＣ１００Ｖの商用電力（５０Ｈｚ／６０Ｈｚ）の他にＰＬＣ信号が重畳されている。ＰＬＣモデム２Ａの電源プラグ７はコンセント５Ａに接続可能なオス型ＡＣプラグであり、一対の端子を有している。ＰＬＣアダプタ本体１１の第１電源端子１４はコンセント５Ａと同じ形状を有するメス型端子であり、ＰＬＣモデム２Ａの電源プラグ７が挿入され、その先は信号分離回路１６に接続されている。第２電源端子１５はＰＬＣモデム２Ａの電源プラグ７と同じ形状を有するオス型端子である。
【００３３】
信号分離回路１６は、ＰＬＣ信号のみを第１電源端子１４から信号端子１７へ送り、電源電力のみを第２電源端子１５から第１電源端子１４へ送るよう工夫されている。具体的に説明すると、信号分離回路１６の内部の一対の電源ライン１８ａ，１８ｂ上にはコイルＬ１，Ｌ２が直列挿入されている。コイルＬ１，Ｌ２はチョークコイルであり、商用周波数（５０Ｈｚ／６０Ｈｚ）に対しては低インピーダンスであるが、ＰＬＣ信号の周波数帯（２ＭＨｚ〜３０ＭＨｚ、又は１０ｋＨｚ〜４５０ｋＨｚ）に対しては高インピーダンスとなる定数を選定している。
【００３４】
また、一対の電源ライン１８ａ，１８ｂの途中からそれぞれ引き出された一対の信号ライン１９ａ，１９ｂ上にはコンデンサＣ１，Ｃ２が設けられている。コンデンサＣ１，Ｃ２はカップリングコンデンサであり、商用周波数に対しては高インピーダンスであるが、ＰＬＣ信号の周波数帯に対しては低インピーダンスとなる定数を選定している。そのため、コイルＬ１，Ｌ２とコンデンサＣ１，Ｃ２とを組み合わせることで、図３の矢印Ｄ１に示すようにＰＬＣ信号が信号端子１７のみから出力し、第２電源端子１５から出力しないように電源電力から分離することが可能となる。また、電源電力は矢印Ｄ２に示すように第２電源端子１５から第１電源端子１４に向かって流れ、信号端子１７から出力しないようにすることができる。
【００３５】
また、一対のコイルＬ１，Ｌ２と第２電源端子１５との間には、一方の電源ライン１８ａと他方の電源ライン１８ｂとを接続するコンデンサＣ３が設けられている。コンデンサＣ３は一対の電源ライン１８ａ，１８ｂ間を交流的に短絡するバイパスコンデンサであり、ＰＬＣ信号の周波数帯に対しては低インピーダンスとなる定数を選定している。そのため、コンデンサＣ３とコイルＬ１，Ｌ２とを組合せることで、図３の矢印Ｄ３に示すように第２電源端子１５から信号分離回路１６へ流入するＰＬＣ信号の周波数帯のノイズを低減させ、ＰＬＣモデム２Ａへの影響を排除することができる。さらには、インバータ機器等の接続により電力線のインピーダンスがＰＬＣ信号の周波数帯で変動する事象についても、ＰＬＣ信号の周波数帯ではコイルＬ１，Ｌ２のインピーダンスが高く見えるため、ＰＬＣモデム２Ａへの影響を排除することが可能である。
【００３６】
なお、短絡電流による保護を目的として電源ライン１８ａ，１８ｂ上の少なくとも一方にヒューズＦ１を追加してもよく、絶縁性を確保するため信号端子１７と信号分離回路１６との間に絶縁トランスＴ１を設置してもよいが、あくまで安全上の配慮であり、必須の構成要素ではない。ヒューズＦ１は第２電源端子１５と第３のコンデンサＣ３との間に設けられることが好ましい。これにより、ＰＬＣモデムとＰＬＣアダプタとを短絡電流から保護することができる。
【００３７】
信号端子１７から送出されたＰＬＣ信号は、接続線１２及び通信線６を通って対向するＰＬＣモデム２Ｂへ至る。一方、対向ＰＬＣモデム２Ｂから送出されたＰＬＣ信号は、通信線６を通過した後、信号端子１７から信号分離回路１６に入る。前述の通り、コイルＬ１，Ｌ２のインピーダンスはＰＬＣ信号の周波数帯に対して大きいため、ＰＬＣ信号は第１電源端子１４側にのみ流れ、ＰＬＣモデム２Ａの電源プラグ７から機器内部に至る。
【００３８】
本実施形態によるＰＬＣアダプタ１０Ａ，１０Ｂを用いることにより、ＰＬＣ信号は電力線４Ａ，４Ｂ上を通らないため、電力線４Ａ，４Ｂに接続された様々な電力機器や家電機器からのノイズや分電盤等での減衰の影響を受けない。したがって、いわゆる一体型機器のＰＬＣモデム２Ａ，２Ｂであっても電力線４Ａ，４Ｂを伝送媒体としないデータ通信ができ、安価で安定した通信環境を構築することが可能となる。
【００３９】
図４は、本発明の第２の実施の形態による通信システムの概略図である。
【００４０】
図４に示すように、この通信システム１Ｂの特徴は、ＰＬＣアダプタ１０Ａから延びる通信線６Ａが途中で二分岐し、一方の分岐線６ＢがＰＬＣアダプタ１０Ｂに接続されており、他方の分岐線６ＣがＰＬＣアダプタ１０Ｃに接続されている点にある。ＰＬＣアダプタ１０ＣにはＰＬＣモデム２Ｃが接続されており、ＰＬＣモデム２Ｃにはパソコン９Ｃが接続されている。
【００４１】
以上の構成において、ＰＬＣモデム２Ａは、ＰＬＣアダプタ１０Ａ及び１０Ｂを介してＰＬＣモデム２Ｂと通信可能であるだけでなく、ＰＬＣアダプタ１０Ａ及び１０Ｃを介してＰＬＣモデム２Ｃと通信可能であり、ＰＬＣモデムの標準的な通信機能である一対多の通信を実現することができる。
【００４２】
図５は、本発明の第３の実施の形態による通信システムの概略図である。
【００４３】
図５に示すように、この通信システム１Ｃの特徴は、ＰＬＣアダプタ１０Ａが第１端子台２１Ａを介して通信線６Ａの一端に接続され、第１端子台２１Ａから延びる通信線６Ａの他端が第２端子台２１Ｂを介してＰＬＣアダプタ１０Ｂに接続され、さらに第２端子台２１Ｂから延びる通信線６Ｂの他端が第３端子台２１Ｃを介してＰＬＣアダプタ１０Ｃに接続されている点にある。ＰＬＣアダプタ１０ＣにはＰＬＣモデム２Ｃが接続されており、ＰＬＣモデム２Ｃにはパソコン９Ｃが接続されている。
【００４４】
以上のように、ＰＬＣアダプタ１０Ａ，１０Ｂ，１０Ｃは通信線６Ａ，６Ｂを介してタンデム接続されており、ＰＬＣモデム２Ａは、ＰＬＣアダプタ１０Ａ及び１０Ｂを介してＰＬＣモデム２Ｂと通信可能であるだけでなく、ＰＬＣアダプタ１０Ａ及び１０Ｃを介してＰＬＣモデム２Ｃと通信可能であり、一対多の通信を実現することができる。さらに、ＰＬＣモデム２ＡからＰＬＣモデム２Ｃまでの通信距離が非常に長い場合であっても、ＰＬＣモデム２ＢがＰＬＣ信号を中継することができ、ＰＬＣモデムが標準的に備えているホップ機能を利用して通信距離の拡張も容易である。
【００４５】
以上説明したように、本実施形態によるＰＬＣアダプタ１０Ａ〜１０Ｃは、一体型機器としてのＰＬＣモデム２Ａ，２Ｂ，２Ｃを通信線モデムに変更することができる。したがって、ＤＳＬモデムなどの専用の通信線モデムを準備する必要がなく、市販ＰＬＣモデムを利用することによるコストダウンが可能となる。また、ＰＬＣモデムはノイズに強いＯＦＤＭ方式を採用しているので、安定した通信システムの構築が可能である。
【００４６】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００４７】
１Ａ，１Ｂ，１Ｃ    通信システム
２Ａ，２Ｂ，２Ｃ    ＰＬＣモデム
４Ａ，４Ｂ    電力線
５Ａ，５Ｂ    コンセント
６，６Ａ    通信線
６Ｂ、６Ｃ    通信線（分岐線）
７    電源プラグ
９Ａ，９Ｂ，９Ｃ    パソコン
１０Ａ，１０Ｂ，１０Ｃ      ＰＬＣアダプタ
１１    アダプタ本体
１１ａ    筐体
１２    接続線
１４    第１電源端子（メス型端子）
１５    第２電源端子（オス型端子）
１６    信号分離回路
１７    信号端子
１８ａ，１８ｂ    電源ライン
１９ａ，１９ｂ    信号ライン
２１Ａ，２１Ｂ，２１Ｃ    端子台
Ｃ１，Ｃ２    コンデンサ
Ｃ３    コンデンサ
Ｆ１    ヒューズ
Ｌ１，Ｌ２    コイル
Ｔ１    絶縁トランス
【図１】
2020014141.tif 000003
【図２】
2020014141.tif 000004
【図３】
2020014141.tif 000005
【図４】
2020014141.tif 000006
【図５】
2020014141.tif 000007
【図６】
2020014141.tif 000008